(57)【特許請求の範囲】
【請求項１】
印字テープと剥離テープとを積層して成る印刷用テープにおける前記印字テープに印字する印字部と、前記印字部から送られてくる前記印刷用テープを切断する切断部とを備え、前記切断部を、前記印刷用テープにおける前記印字テープのみを切断する部分カット機構を備えて構成し、前記印字部で印刷された印字部分と該印字部分に先立って形成される余白部分との間において前記印字テープのみが切断されるように、前記印字部と前記部分カット機構とを連係作動させる第１制御手段を備え、前記印字部分毎にその印字終了に伴って前記印刷用テープを切断する全カット機構を前記切断部に備え、所定法則に従って変更されるカウント用ナンバリングデータを前記印字部分の印字に先立って発生させて記憶するナンバリング発生・記憶手段と、前記印字部分の印字データと前記ナンバリング発生・記憶手段に記憶されているカウント用ナンバリングデータとを順次合成し、かつ、カウント用ナンバリングデータのみに基づくカウント用ナンバリングが前記余白部分に印字される状態で合成したデータに基づいて印字を繰返す合成印字制御手段を備えてあるテーププリンタ。
【請求項２】
印字テープと剥離テープとを積層して成る印刷用テープにおける前記印字テープに印字する印字部と、前記印字部から送られてくる前記印刷用テープを切断する切断部と、前記印字部で印字される印字内容を高さ方向に分割し、それら分割された各々をテープ長さ方向に沿って余白を挟んで印字させるスプリット制御手段とを備え、前記切断部を、前記印刷用テープにおける前記印字テープのみを切断する部分カット機構を備えて構成し、前記スプリット制御手段によって分割印字された互いに対となる両分割印字部分とこれら分割印字部分に先立って形成される余白部分との間において前記印字テープのみが切断されるように、前記スプリット制御手段と前記部分カット機構とを連係作動させる第２制御手段を備えてあるテーププリンタ。
【請求項３】
前記印字部分毎にその印字終了に伴って前記印刷用テープを切断する全カット機構を前記切断部に備え、所定法則に従って変更されるカウント用ナンバリングデータを前記印字部分の印字に先立って発生させて記憶するナンバリング発生・記憶手段と、前記印字部分の印字データと前記ナンバリング発生・記憶手段に記憶されているカウント用ナンバリングデータとを順次合成し、かつ、カウント用ナンバリングデータのみに基づくカウント用ナンバリングが前記余白部分に印字される状態で合成したデータに基づいて印字を繰返す合成印字制御手段を備えてある請求項２に記載のテーププリンタ。
【発明の詳細な説明】
【０００１】
【発明の属する技術分野】
本発明は、印字テープと剥離テープとを積層して成る印刷用テープを用いたテーププリンタに係り、詳しくは、印字テープのみを切断する部分カット機構と、印刷用テープを完全に切断する全カット機構とを適宜に組み合わすことにより、種々の用途に応じた切断形態を現出可能とする技術に関する。
【０００２】
【従来の技術】
従来、印字テープと剥離テープとを積層して成る印刷用テープを用いたテーププリンタにおいて、剥離テープを残して印字テープのみを切断する所謂部分カットが行えるようにしたものがある（特開平６−７１９５５号公報等）。部分カットを行うことにより、印刷済の印字テープをラベル等として使用するべく剥離テープから剥がす際には、単に印刷用テープを折り曲げるように変形させるだけで部分カット部位から印字テープを容易に剥がすことができ、爪やピンセットを用いる煩わしさや印字テープ端部を損傷させる不都合を解消して、印字テープの剥がし易さを改善している。
【０００３】
【発明が解決しようとする課題】
テーププリンタでは、印字部に対するテープ送り方向の下手側に近接して切断部が配置される構造上、印字部と切断部との間隔に相当する余白が最初の印字部分に先立って形成されることになるが、部分カット機構を用いればその余白部において印字テープのみの切断箇所を形成でき、余分な余白部を予め除去する状態が現出できるようになる。
【０００４】
上述のように、切断部に部分カット機構を設けることで、従来の問題点を解消し得る利点があることに着目して、本発明では、その部分カット機構の制御、並びに全カット機構と部分カット機構との組合わせ制御を行わせることにより、印字済テープを種々の用途に適した状態に切断処理可能とすることを目的とするものである。
【０００５】
【課題を解決するための手段】
本発明の請求項１に係るテーププリンタは、印字テープと剥離テープとを積層して成る印刷用テープにおける印字テープに印字する印字部と、印字部から送られてくる印刷用テープを切断する切断部とを備え、切断部を、印刷用テープにおける印字テープのみを切断する部分カット機構を備えて構成し、印字部で印刷された印字部分と該印字部分に先立って形成される余白部分との間において印字テープのみが切断されるように、印字部と部分カット機構とを連係作動させる第１制御手段を備え、印字部分毎にその印字終了に伴って印刷用テープを切断する全カット機構を切断部に備え、所定法則に従って変更されるカウント用ナンバリングデータを印字部分の印字に先立って発生させて記憶するナンバリング発生・記憶手段と、印字部分の印字データとナンバリング発生・記憶手段に記憶されているカウント用ナンバリングデータとを順次合成し、かつ、カウント用ナンバリングデータのみに基づくカウント用ナンバリングが余白部分に印字される状態で合成したデータに基づいて印字を繰返す合成印字制御手段を備えている。
【０００６】
上記構成の請求項１に係るテーププリンタによれば、印字部分とこれに先立って形成される余白部分との間において印字テープのみが切断されるように部分カット機構が動作するから、部分カットによって剥離テープから印字テープを剥がし易い利点を備えるとともに、それによって形成される印字テープによるラベルを、テーププリンタの構造上生じる余白部分（前述）等の余計な非印字部分を少なくした状態で形成できるようになる。従って、実際に必要となる部分の印字テープを剥がし易い状態で備えた印字後の印刷用テープを、単位長さのものとして作成できるものとなる。
また、ラベルとして使用されない部分である余白部分に、カウント用ナンバリングが印字されるようになるから、１箇所の印字部分を備えた印字後の印刷用テープを複数作成する場合に、作成開始から現在幾つ目のものでであるかとか、数えなくても作成個数が判る等、カウントの手間が省けるようにしながら、作成テープ個数（ラベル個数）を把握することができる。
【０００７】
本発明の請求項２に係るテーププリンタは、印字テープと剥離テープとを積層して成る印刷用テープにおける印字テープに印字する印字部と、印字部から送られてくる印刷用テープを切断する切断部と、印字部で印字される印字内容を高さ方向に分割し、それら分割された各々をテープ長さ方向に沿って余白を挟んで印字させるスプリット制御手段とを備え、切断部を、印刷用テープにおける印字テープのみを切断する部分カット機構を備えて構成し、スプリット制御手段によって分割印字された互いに対となる両分割印字部分とこれら分割印字部分に先立って形成される余白部分との間において印字テープのみが切断されるように、スプリット制御手段と部分カット機構とを連係作動させる第２制御手段を備えている。
【０００８】
上記構成の請求項２に係るテーププリンタによれば、テープ幅に収まりきらない大きな文字、図形等を、印字後の印刷用テープをテープ幅方向に複数枚並べることで実現させる手段、すなわち公知のスプリット制御手段を用いたものであり、それに請求項１による上記作用が加わるものである。それによれば、スプリット制御による幅広ラベルを構成できるものでも、実際に必要となる部分の印字テープを剥がし易い状態で備えた印字後の印刷用テープを、単位長さのものとして作成できるものとなる。
【０００９】
本発明の請求項３に係るテーププリンタは、請求項２のものと同様の構成を備えるが、印字部分毎にその印字終了に伴って印刷用テープを切断する全カット機構を切断部に備え、所定法則に従って変更されるカウント用ナンバリングデータを印字部分の印字に先立って発生させて記憶するナンバリング発生・記憶手段と、印字部分の印字データとナンバリング発生・記憶手段に記憶されているカウント用ナンバリングデータとを順次合成し、かつ、カウント用ナンバリングデータのみに基づくカウント用ナンバリングが余白部分に印字される状態で合成したデータに基づいて印字を繰返す合成印字制御手段を備えている。
【００１０】
上記構成の請求項３に係るテーププリンタによれば、ラベルとして使用されない部分である余白部分に、カウント用ナンバリングが印字されるようになるから、１箇所の印字部分を備えた印字後の印刷用テープを複数作成する場合に、作成開始から現在幾つ目のものでであるかとか、数えなくても作成個数が判る等、カウントの手間が省けるようにしながら、作成テープ個数（ラベル個数）を把握することができる。
【００１１】
【発明の実施の形態】
以下に、本発明の実施の形態を図面に基づいて説明する。
【００１２】
図１はテーププリンタ１と、印字するためのテキストデータ等を作成するためのデータ作成装置２等を示す斜視図であり、文字や記号の入力キー、ＣＲＴ５のディスプレイ部分のカーソルを上下左右方向に移動させるカーソル移動キー、各種操作用キー等を備えたキーボード３及び座標入力装置（マウス）４と、文字等を複数行分表示可能なＣＲＴ５とを、制御本体装置（コンピュータ）６に接続線を介して夫々接続してあり、又、テーププリンタ１も制御本体装置６に接続線を介して接続してある。
【００１３】
次に、図２を参照しながらテーププリンタ１内の印刷機構について説明すると、テーププリンタ１のケース１ａ内のカセット収納部フレーム１７には、テープ収納カセット７が着脱自在に装着されている。このテープ収納カセット７内には、ＰＥＴフィルム等の透明な表層テープ８が巻装されたテープスプール９と、インクリボン１０が巻装されたリボン供給スプール１１と、インクリボン１０を巻取る巻取りスプール１２と、表層テープ８と同一幅で両面に接着剤層を有する両面接着テープ１３が剥離テープ１４を外側にして巻装された基材供給スプール１５と、両面接着テープ１３と表層テープ８とを重ねて接合させる接合ローラ１６とが回転自在に設けてある。そして、テープスプール９と接合ローラ１６とを駆動するテープ送りモータ４６を備えている。
【００１４】
カセット収納部フレーム１７から立設された印字部であるサーマルヘッド１８は、テープ収納カセット７の凹所１９に臨ませ、サーマルヘッド１８の箇所を表層テープ８とインクリボン１０とが重ねられた状態で通過し得る。カセット収納部フレーム１７から回動可能に立設されたローラホルダ２０に装着されたプラテンローラ２１がサーマルヘッド１８に向かって押圧され、ローラホルダ２０の先端側に装着された送りローラ２２には接合ローラ１６に向かって押圧される。
【００１５】
データ作成装置２によって作成された印字データに基づいて印字するときは、カセット収納部フレーム１７における駆動モータ２５を回転させて図示しないギヤ機構を介して巻取りスプール１２、送りローラ２２、接合ローラ１６を同期回転させる一方、サーマルヘッド１８における列状に並んだ発熱素子を選択的に通電駆動し、表層テープ８の裏面にインク２９のドット列を付着させて印字する。その後、表層テープ８の印字面に両面接着テープ１３が積層された印字済の印刷用テープ２４として切断部２３に送られる。
【００１６】
切断部２３は、印刷用テープ２４を完全に切断する全カット機構Ａと、後述の部分カット機構Ｂとで構成されている。全カット機構Ａは、固定刃２３ａと、この固定刃２３ａに対して回動によって遠近移動する可動刃２３ｂとで成る鋏構造のものであり、電動式の駆動機構２６によって可動刃２３ｂを回動操作することで印刷用テープ２４を切断するように構成してある。
【００１７】
図３は印字済の印刷用テープ２４の拡大断面図であり、ＰＥＴ（ポリエチレンフタレート）フィルム等の透明な表層テープ８の裏面に文字の鏡像にてインク２９のドット列が付着され、その裏面側を両面接着テープ１３における基材テープ１３ａの一方の面の接着剤層１３ｂで接合し、その裏面側が他方の面の接着剤層１３ｃを介して紙製の剥離テープ（剥離紙）１４で覆われていることになる。厚さＴ１の印字テープ２８とは、表層テープ８と剥離テープ（剥離紙）１４を除いた両面接着テープ１３との合体のことであり、両面接着テープ１３に既に一体化されている剥離紙が剥離テープ１４のことである（図４参照）。
【００１８】
図２に示すように、部分カット機構Ｂは、テーププリンタ１のケース１ａにおける排紙部２７と全カット機構Ａとの間に配置されている。図５〜図７に示すように、カセット収納部フレーム１７等に固定した金属製の厚板状の受台３３と、この受台３３に対してカシメピン３４を中心に回動可能に枢支された支持部材３５と、この支持部材３５にスポット溶接３７等によって固定された切断刃３６と、支持部材３５を回動させる駆動手段３８とから構成されている。
【００１９】
受台３３には、剥離テープ１４の厚さＴ2により僅かに小さい寸法Ｈ2に相当し、かつ、剥離テープ１４（印刷用テープ２４）の幅寸法より広幅の段差３９を形成してある。従って、受台３３の先端側と、カシメピン３４の近傍との端面には、段差３９の底面に対してこの段差３９と同じ高さＨ2を有した一対の段部３３ａ，３３ｂが形成される。他方、図７に示すように、支持部材３５にはその先端側に、一方の段部３３ａの一部に当接する足部３５ａからカシメピン３４の近傍に向かっては、印刷用テープ２４全体の厚さＴ3（＝Ｔ1＋Ｔ2）よりも深く、かつ、印刷用テープ２４の幅寸法よりも広幅の段差４０を形成してある。
【００２０】
図７に示すように、支持部材３５に切断刃３６を位置合わせして固定するには、受台３３の先端側の段部３３ａに支持部材３５先端側の足部３５ａが接当するようにカシメピン３４を中心にして回動させて閉じる。この状態で切断刃３６の刃先の両端部が一対の段部３３ａ，３３ｂに接当する位置で、切断刃３６を支持部材３５にスポット溶接３７や接着剤（図示せず）等にて固定する。これにより、切断刃３６の刃先と受台３３における段差３９との隙間は確実に平行状となるとともに、その隙間の寸法は段差３９の高さＨ2に等しくなるから、他の治具を用いることなく切断刃３６を支持部材３５に固定することが至極簡単に行え、しかも取付精度も格段に向上するようになる。
【００２１】
図５に示すように、切断刃３６、つまりは支持部材３５をカシメピン３４を中心として回動させる駆動手段３８は、正逆回転可能な電動モータ４１の動力を、ギヤ列４２を介してクランク４３を図５の反時計回り方向に回動させるときに、クランク４３に突設されたピン４４が支持部材３５に穿設された長溝４５に沿って移動することにより、支持部材３５を反時計回り方向に回動させる構造である。この場合、支持部材３５の足部３５ａが受台３３の段部３３ａに接当した後は、ギヤ列４２に介装された図示しない滑りクラッチにより、電動モータ４１に過負荷が生じないように構成されている。
【００２２】
そして、少なくとも支持部材３５に足部３５ａと切断刃３６の刃先の一端部が受台３３の段部３３ａに接当するときには、印刷用テープ２４の部分カットが完了するが、このとき同時に切断刃３６の他端部が受台３３の他方の段部３３ｂに接当しても良い。又、電動モータ４１を逆回転させて開くときは、その最大開き角度で電動モータ４１を停止させるように、図示しないリミットスイッチが支持部材３５の適宜箇所に接当して所定の信号を出力する。
【００２３】
このように、固定側の受台３３に対して回動中心（カシメピン３４）回りに支持部材３５及び切断刃３６を回動させて閉じるとき、切断刃３６の刃先と段差３９との隙間は、カシメピン３４に近い側から順に狭くなる。従って、印刷用テープ２４を一方の縁から順に切断刃３６の刃先が当たり、所謂鋏で印刷用テープ２４を切断するような状態になり、切断刃３６の刃先がテープ幅方向全体に亘って一挙に当たって切断する、所謂押し切り型のものに比べて駆動力が少なくて済み、駆動手段３８のコンパクト化や電動モータ４１の小出力化が可能である。
【００２４】
尚、印刷用テープ２４のうち、剥離テープ１４側を切り残すように部分カットするには、剥離テープ１４側が受台３３の段差３９の底面側となるようにして位置させて部分カット作業を行えば良い〔図８（ｂ）参照〕。逆に、剥離テープ１４のみを切断するには、表層テープ８を受台３３の段差３９の底面側に位置させて部分カット作業を行えば良い。
【００２５】
次に、テーププリンタの切断制御装置について説明する。
【００２６】
印字テープ２８の長手方向に沿って同一の印字内容を所定幅の非印字部分ｈを挟みつつ複数回繰返して印字するように印字部１８を制御させる反復印字制御手段４７と、反復印字制御手段４７による各印字部分ｉに先立って形成される非印字部分ｈ又は余白部分ｙにおいて印字テープ２８のみを切断するように部分カット機構Ｂを作動させる第１制御手段４８とを制御装置４９に備えてある。
【００２７】
所定法則に従って変更されるナンバリングとしての印字部分ｉを印字テープ２８の長手方向に沿って非印字部分ｈを挟みつつ複数回繰返して印字部１８により印字させるナンバリング印字制御手段５０と、ナンバリング印字制御手段５０による各印字部分ｉに先立って形成される非印字部分ｈ又は余白部分ｙにおいて印字テープ２８のみを切断するように部分カット機構Ｂを作動させる第２制御手段５１を制御装置４９に備えてある。
【００２８】
又、印字部分ｉの所定数毎において印字テープ２８のみが切断されるに代えて印刷用テープ２４が切断されるように、印字部１８と部分カット機構Ｂと全カット機構Ａとを連係作動させる第３制御手段５２（請求項１における第１制御手段を構成する）、及び印字部１８で印刷された印字部分ｉとその印字部分ｉに先立って形成される余白部分ｙとの間において印字テープ２８のみが切断されるように、印字部１８と部分カット機構Ｂとを連係作動させる第４制御手段５５を制御装置４９に備えてある。
【００２９】
印字部１８で印字される印字内容を高さ方向に分割し、それら分割された各々をテープ長さ方向に沿って余白を挟んで印字させるスプリット制御手段５６を備える。スプリット制御手段５６によって分割印字された互いに対となる両分割印字部分とこれら分割印字部分に先立って形成される余白部分との間において印字テープ２８のみが切断されるように、スプリット制御手段５６と部分カット機構Ｂとを連係作動させる第５制御手段５７（請求項２における第２制御手段を構成する）を制御装置４９に備えてある。
【００３０】
全カット機構Ａを、印字部分ｉ毎にその印字終了に伴って印刷用テープ２４を切断する状態に備え、所定法則に従って変更されるカウント用ナンバリングデータを印字部分の印字に先立って発生させて記憶するナンバリング発生・記憶手段５８と、印字部分の印字データとナンバリング発生・記憶手段５８に記憶されているカウント用ナンバリングデータとを順次合成し、かつ、カウント用ナンバリングデータのみに基づくカウント用ナンバリングが余白部分に印字される状態で合成したデータに基づいて印字を繰返す合成印字制御手段５９とを制御装置４９に備えてある。
【００３１】
尚、制御装置４９は、具体的には、演算装置であるＣＰＵ、各種プログラムやデータを記憶するＲＯＭ、各種データを一時的に記憶するＲＡＭ等から構成される周知のマイクロコンピュータであり、上記各手段は、ＣＰＵがＲＯＭに記憶されているプログラムを実行することにより構成される。
【００３２】
図１０、図１１に示すように、印字部であるサーマルヘッド１８と全カット機構Ａの可動刃２３ｂとの間には、テープ送り方向にある程度の距離が形成されるとともに、全カット機構Ａの可動刃２３ｂと部分カット機構Ｂの可動刃３５との間にも僅かな間隙が存在することになる。従って、印刷用テープ２４が全カットされた状態では、図１１に示すように、テープ先端が全カット機構Ａの位置にあって、その状態で印字部１８の印字が開始されることになり、それによって１回目の印字部分ｉに先立ってテープ先端に余白部分ｙが形成されるようになる。そして、この余白部分ｙは非印字部分でもある。
【００３３】
図１２に、スプリット制御手段５６と第５制御手段５７、およびナンバリング発生・記憶手段５８と合成印字制御手段５９との協動によって得られるタイプＩの２個の印刷用テープ２４の一例（イメージ図）を示している。これは、標準サイズの大きさ４倍（縦横各２倍）の文字「ＡＢＣ」を３字まとめて上下方向に帯状にスライスし、上半文字−下半文字のように順次分割印字したものであり、両端の全カットライン５３，５３と、印字部分「ＡＢＣ」とそれに先立って形成される余白部分との間の部分カットライン５４とが形成されている。これによれば、印字テープ２８を剥離テープ１４から剥がすことで、分割印字された２枚のラベルが得られ、これを上下接して配置することにより、「ＡＢＣ」の文字が表示できる。
【００３４】
図１３に、第４制御手段５５とナンバリング発生・記憶手段５８と合成印字制御手段５９との協動によって得られるタイプIIの印刷用テープ２４の一例（イメージ図）を示している。これは、同一内容の印字部分を有する３枚のラベルを得るのに１枚ずつ別個に印刷用テープを形成するよう設定したもので、余白とそれに続く文字「ＡＢ」との間に部分カットライン５４が形成され、かつ、余白部分にカウント用ナンバリングが印字されたものである。但し、１枚目の印刷用テープの余白部分は、このテープ作成に先立つ印字・テープカット時に発生したものであるから、カウント用ナンバリングは１は印字されず、２から印字されるように制御される。これによれば、「ＡＢ」という単位テープを複数個作成した場合の作成個数は、その単位テープの余白部分に印字されたカウント用ナンバリングで示されていることになる。
【００３５】
次に、テーププリンタ１で印刷用テープを実際に作成する手順を、図１４〜図１７に示すフローチャートを参照して説明する。尚、以後のＳｉ（ｉ＝１，２，３・・・）は各フローチャートにおける各ステップのステップ番号である。
【００３６】
先ず、制御装置４９は、各種フラグをクリアする等の初期化処理（Ｓ１）を行い、キー入力を待つ（Ｓ２：ｎｏ）。使用者のキーボード３の操作によるキー入力があると（Ｓ２：ｙｅｓ）、そのキーがコピー印刷キーか否か判断し（Ｓ３）、コピー印刷キーであれば（Ｓ３：ｙｅｓ）、コピー設定処理を行う（Ｓ４）。
【００３７】
このコピー設定処理において、制御装置４９は、図１５（イ）に示すように、先ずキー入力を待つ（Ｓ１５：ｎｏ）、即ち、使用者がコピー枚数をキーボード３の数字キーを押下して入力するのを待つ。キー入力があると（Ｓ１５：ｙｅｓ）、入力されたキーが数字の２〜９キーであるか否か判断し（Ｓ１６）、数字の２〜９以外のキーからの入力であれば（Ｓ１６：ｎｏ）、無効なキーからの入力であると判断し、前記Ｓ１５へ戻る。
【００３８】
一方、数字の２〜９のキーからの入力であった場合（Ｓ１６：ｙｅｓ）、使用者により押下された数字キーの数字をコピー数Ｎとして、制御装置４９内のＲＡＭに記憶する（Ｓ１７）。そして、ＲＡＭに記憶されているナンバリングフラグＦ及びスプリットフラグＦをクリアする（Ｓ１８）。尚、フラグをクリアするとは、フラグの値を「０」に変更することである。そして、制御装置４９は、Ｓ１８を行った後に図１７に示すカウント印刷の設定処理を行う（Ｓ１９）。
【００３９】
このカウント印刷設定処理において、制御装置４９は、先ず、例えば「カウント印刷  Ｙ／Ｎ」というような設定画面を表示して、使用者に、キーボード３のＹキーもしくはＮキーの押下を促す（Ｓ３３）。使用者は、図１３に示すようなカウント印刷を希望する場合は、Ｙキーを押下し、希望しない場合にはＮキーを押下する。
【００４０】
Ｙキーが押下されたならば（Ｓ３４：ｙｅｓ）、カウント印刷フラグＦをセットする。Ｎキーが押下されたならば（Ｓ３４：ｎｏ）、カウント印刷フラグＦをクリアする（Ｓ３７）。Ｙキー及びＮキー以外のキーが押下されたならば（Ｓ３４・Ｓ３６：ｎｏ）、無効のキーが押下されたものと判断し、Ｓ３４に戻る。制御装置４９はＳ３５、Ｓ３７を行った後、図１６のスプリット設定に戻ってコピー設定処理を終了し、図１４の印刷処理に移行する。
【００４１】
前記Ｓ２において、入力されたキーがナンバリング印刷キーであるならば（Ｓ３：ｎｏ、Ｓ５：ｙｅｓ）、ナンバリング設定処理を行う（Ｓ６）。このナンバリング設定処理において、制御装置４９は、図１５（ロ）に示すように、先ずキー入力を待つ（Ｓ２０：ｎｏ）、即ち、使用者がナンバリング印刷により作成する印刷用テープの枚数をキーボード３の数字キーを押下して入力するのを待つ。キー入力があると（Ｓ２０：ｙｅｓ）、入力されたキーが数字の２〜９キーであるか否か判断し（Ｓ２１）、数字の２〜９以外のキーからの入力であれば（Ｓ２１：ｎｏ）、無効なキーからの入力であると判断し、前記Ｓ２０へ戻る。
【００４２】
一方、数字の２〜９のキーからの入力であった場合（Ｓ２１：ｙｅｓ）、使用者により押下された数字キーの数字を、ナンバリング印刷による印刷枚数Ｎとして制御装置４９内のＲＡＭに記憶する（Ｓ２２）。そして、ＲＡＭに記憶されているナンバリングフラグＦをセットすると共にスプリットフラグＦをクリアする（Ｓ２３）。尚、フラグをセットするとは、フラグの値を「１」に変更することである。そして、制御装置４９は、Ｓ２３を行った後にナンバリング設定処理を終了し、図１４のＳ１４に移行する。
【００４３】
前記Ｓ２において、入力されたキーがスプリット印刷キーであるならば（Ｓ３・Ｓ５：ｎｏ、Ｓ７：ｙｅｓ）、スプリット設定処理を行う（Ｓ８）。このスプリット設定処理において、制御装置４９は、図１６（イ）に示すように、先ずキー入力を待つ（Ｓ２５：ｎｏ）、即ち、使用者がスプリット印刷を行う際の分割数（この分割数はスプリット印刷における印刷枚数でもある）をキーボード３の数字キーを押下して入力するのを待つ。キー入力があると（Ｓ２５：ｙｅｓ）、入力されたキーが数字の２〜９キーであるか否か判断し（Ｓ２６）、数字の２〜９以外のキーからの入力であれば（Ｓ２６：ｎｏ）、無効なキーからの入力であると判断し、前記Ｓ２５へ戻る。
【００４４】
一方、数字の２〜９のキーからの入力であった場合（Ｓ２６：ｙｅｓ）、使用者により押下された数字キーの数字を、スプリット印刷による印刷枚数Ｎとして制御装置４９内のＲＡＭに記憶する（Ｓ２７）。そして、ＲＡＭに記憶されているナンバリングフラグＦをクリアすると共にスプリットフラグＦをセットする（Ｓ２８）。そして、制御装置４９は、Ｓ２８を行った後に、前記Ｓ１９と同様のカウント印刷の設定を行い、その後、スプリット設定処理を終了し、図１４のＳ１４に移行する。
【００４５】
前記Ｓ２において、入力されたキーが印刷キーならば（Ｓ３・Ｓ５・Ｓ７：ｎｏ、Ｓ９：ｙｅｓ）、印刷枚数Ｎを「１」にセットして（Ｓ１０）、後述の印刷処理（Ｓ１４）を行う。
【００４６】
前記Ｓ２において、入力されたキーがハーフカット設定キーであるならば（Ｓ３・Ｓ５・Ｓ７・Ｓ９：ｎｏ、Ｓ１１：ｙｅｓ）、ハーフカット設定処理を行う（Ｓ１２）。図１６（ロ）に示すように、ハーフカット設定処理において、制御装置４９は、ＲＡＭに記憶されているハーフカットフラグＦがセット状態にあるか否かを判断し（Ｓ３０）、ハーフカットフラグＦが既にセット状態にあるならば（Ｓ３０：ｙｅｓ）、ハーフカットフラグＦをクリアする（Ｓ３２）。一方、ハーフカットフラグＦがセットされておらずクリア状態にあるならば（Ｓ３０：ｎｏ）、ハーフカットフラグＦをセットする（Ｓ３１）。そして、制御装置４９は、Ｓ３１またはＳ３２を行った後、図１４のＳ２に戻る。
【００４７】
前記Ｓ２において、入力されたキーがハーフカット設定キーでなければ（Ｓ３・Ｓ５・Ｓ７・Ｓ９・Ｓ１１：ｎｏ）、入力されたキーに応じた処理を行う（Ｓ１３）。このＳ１３の処理としては、例えば、文字キー等の押下によるテキストの入力・編集処理がある。
【００４８】
次に、印刷キーの押下により実行される印刷処理について図１８に基づいて説明する。
【００４９】
制御装置４９は、印刷枚数Ｎが「１」か否か判断し（Ｓ５４）、使用者によりコピー印刷やナンバリング印刷やスプリット印刷が設定されており、印刷枚数Ｎが「１」ではない場合には（Ｓ５４：ｎｏ）、ＲＡＭに設けられている印刷枚数カウンタｎの値を設定されている印刷枚数Ｎにセットする（Ｓ５９）。そして、カウンタＣに「１」をセットする。
【００５０】
次に、入力されたテキストに基づいて、印刷のためのイメージデータを作成するイメージ処理を行う（Ｓ３９）。図１９に示すイメージ処理において、先ず、制御装置４９は、印刷枚数Ｎが「１」より大きいか否かを判断し（Ｓ４６）、印刷枚数Ｎが「１」よりも大きければ（Ｓ４６：ｙｅｓ）、使用者によりコピー印刷、ナンバリング印刷、スプリット印刷のいずれかが設定されているから、先ずスプリットフラグＦがセット状態にあるか否かを判断し（Ｓ４７）、スプリット印刷が設定されておりスプリットフラグＦがセットされていれば（Ｓ４７：ｙｅｓ）、テキストをＮ倍に拡大した印刷用のイメージを発生する（Ｓ４８）。尚、イメージを拡大する際のＮ倍とは、スプリット設定処理において設定した分割数である。次に、制御装置４９は、発生したイメージをその高さ方向にＮ分割し、分割したイメージの印刷枚数カウンタｎが示すｎ番目のイメージをＲＡＭの印刷バッファへ格納する（Ｓ４９）。そして、このイメージ処理を終了して、図１８のＳ６２にリターンする。
【００５１】
一方、使用者によりナンバリング印刷が設定されている場合には、ナンバリングフラグＦがセット状態にあるから（Ｓ５０：ｙｅｓ）、制御装置４９は、印刷枚数Ｎが印刷枚数カウンタｎと一致しているか否かを判断し（Ｓ５１）、一致していれば（Ｓ５１：ｙｅｓ）、ナンバリング印刷において１枚目の印刷を行うことになるので、入力されたテキストの印刷用のイメージデータを作成し、印刷バッファに格納（Ｓ５３）した後、図１８のＳ６２にリターンする。
【００５２】
前記Ｓ５１において、印刷枚数Ｎが印刷枚数カウンタｎと一致していなければ（Ｓ５１：ｎｏ）、ナンバリング印刷において２枚目以降の印刷を行うことになるので、入力したテキストをカウントアップし（Ｓ５２）、前記Ｓ５３へ移行する。
【００５３】
また、使用者によりコピー印刷が設定されている場合には、スプリットフラグＦもナンバリングフラグＦも共にクリア状態にあるから、制御装置４９は、Ｓ５０において「ｎｏ」と判断して、前記Ｓ５３を実行して、入力されているテキストの印刷用のイメージデータを作成して印刷バッファに格納した後、図１８のＳ６２にリターンする。
【００５４】
上記イメージ処理が終了すると、制御装置４９は、サーマルヘッド１８及びテープ繰りモータ４６を駆動して、ハーフカットを行う位置が部分カット機構Ｂの所に搬送されるまで、印刷バッファに格納されている印刷用のイメージデータを印刷する（Ｓ６２）。ハーフカット位置が部分カット機構Ｂまで搬送されると、サーマルヘッド１８及びテープ送りモータ４６の駆動を一旦停止し、部分カット機構Ｂを駆動してハーフカットを行う（Ｓ６３）。そして、再度サーマルヘッド１８及びテープ送りモータ４６を駆動して、印刷バッファに格納されている印刷用イメージデータの内のＳ４０において印刷を行っていない残りのイメージデータを印刷する（Ｓ６４）。
【００５５】
次に、制御装置４９は、印刷枚数カウンタｎから「１」を引いた結果を、印刷枚数カウンタｎにセットし（Ｓ６５）、印刷枚数カウンタｎが「０」か否かを判断する（Ｓ６６）。印刷枚数カウンタｎが「０」でなければ、使用者が設定した印刷枚数Ｎの印刷が完了していないことになるから、制御装置４９は、後述のＳ６８以降を実行し、印刷枚数カウンタｎが「０」となるまで前記Ｓ６１以降を繰返し実行する。
【００５６】
制御装置４９は、前記Ｓ６８おいて、カウンタＣを「１」インクリメントする（Ｓ６８）。そして、カウント印刷フラグＦがセット状態にあるか否か判断し（Ｓ７１）、カウント印刷フラグＦがセット状態にあるならば（Ｓ７１：ｙｅｓ）、テープ送りモータ４６及びサーマルヘッド１８を駆動しつつ、印刷用テープ２４を全カットするためのテープカット位置、即ち印刷部分の後端を全カット機構Ａまで搬送しつつカウンタＣに記憶されている数字を印刷する。全カット位置が全カット機構Ａまで搬送されると、全カット機構Ａを駆動して印刷用テープ２４を全カットする（Ｓ７０）。
【００５７】
一方、カウント印刷フラグＦがセットされていなければ（Ｓ７１：ｎｏ）、カウンタＣに記憶されている数字を印刷することなく、印刷部分の後端が全カット機構Ａの所に位置するまでテープ送りモータ４６を駆動して、印刷用テープ２４を搬送し（Ｓ７２）、その後、前記Ｓ７０を実行する。
【００５８】
一方、印刷枚数カウンタｎが「０」になれば、使用者が設定した印刷枚数Ｎの印刷が完了したことになり、テープ送りモータ４６を駆動して、印刷結果の後端を全カット機構Ａの所まで搬送し、全カット機構Ａを駆動して全カットを行い（Ｓ６７）、この印刷処理を完了し、図１４のＳ２に戻る。
【００５９】
使用者が、コピー印刷やナンバリング印刷やスプリット印刷を設定していない場合には、印刷枚数Ｎが「１」に設定されているから、制御装置４９は、Ｓ５４において「ｙｅｓ」と判断して、印刷枚数カウンタｎを「１」に設定し（Ｓ５５）、ハーフカットフラグＦがセット状態にあるか否か判断する（Ｓ５６）。使用者がハーフカットを設定してハーフカットフラグＦをセット状態にしていれば（Ｓ５６：ｙｅｓ）、前記Ｓ６１以後を実行する。ハーフカットを設定していなければハーフカットフラグＦはクリア状態にあるから（Ｓ５６：ｎｏ）、Ｓ６１と同様のイメージ処理を行い（Ｓ５７）、印刷バッファに格納された印刷用のイメージデータをサーマルヘッド１８等を駆動して印字テープ２８に印刷し（Ｓ５８）、前記Ｓ６４へ移行する。
【００６０】
図１２に示す印刷用テープ２４を得るには、使用者は、キーボード３の文字キーを押下して文字列「ＡＢＣ」からなるテキストを入力する（Ｓ１３）。次に、スプリット印刷キー及び数字「２」キーを押下して、スプリット印刷を設定すると共に印刷枚数２を設定する。するとスプリット設定処理（Ｓ６）のＳ２７において印刷枚数Ｎが「２」に設定され、Ｓ２８においてナンバリングフラグＦがクリアされ、スプリットフラグＦがセットされる。されに、カウント印刷設定（Ｓ２９）において、「Ｙ」キーを押下して、カウント印刷を設定すると、カウント印刷フラグＦがセットされる。
【００６１】
そして、使用者は印刷キーを押下する。すると印刷処理（Ｓ１４）が実行され、印刷枚数Ｎは「２」にセットされているから（Ｓ５４：ｎｏ）、Ｓ５９において印刷枚数カウンタｎが「２」に設定され、カウンタＣも「１」にセットされる。そしてＳ６１のイメージ処理において、Ｓ４６・Ｓ４７：ｙｅｓ、Ｓ４８、Ｓ４９と実行され、文字列「ＡＢＣ」の２倍に拡大された印刷用イメージデータが作成され、拡大された印刷用イメージデータを分割して得られる上側半分の印刷用イメージデータが印刷バッファに格納される。
【００６２】
次に、Ｓ６２〜Ｓ６３の処理により、拡大された文字列「ＡＢＣ」の上側半分の印刷とその前のハーフカットライン５４が作成が行われる。そして、印刷枚数カウンタｎが「０」でないから、Ｓ６８においてカウンタＣが「１」だけインクリメントされ、Ｓ６９において、カウンタＣの値「２」が印字テープ２８に印刷されると共に、印刷部分の後端であり、印刷されたカウンタの値「２」の前端が全カット機構Ａのところまで搬送されると、Ｓ７０において全カット機構Ａを駆動して印字用テープ２４を切断する。上記一連の処理により、スプリット印刷の１枚目（拡大された文字列「ＡＢＣ」の上側半分）の印刷用テープ２４が作成される。
【００６３】
次に、Ｓ６１〜Ｓ６５が実行されて、拡大された文字列「ＡＢＣ」の下側半分が印字テープ２８に印刷される。ここで、印刷枚数カウンタｎが「０」となっているので、Ｓ６７において印字部分の後端が全カット機構Ａの所まで搬送され、全カット機構Ａにより印刷用テープ２８が切断される。これら一連の処理により、スプリット印刷の２枚目（拡大された文字列「ＡＢＣ」の下側半分）の印刷用テープ２４が作成される。
【００６４】
そして、作成された印刷用テープ２４は何れもハーフカットライン５４が形成されているので、印刷部分を容易に剥がすことができる。また、２枚目の印刷用テープ２８の余白部分には２枚目の印刷を示す数字「２」が印刷されているので、スプリット印刷にて作成された印刷用テープ２４を貼り合わせるときに、その順番が容易に判り、テープを貼り合わせる作業が極めて容易なる。
【００６５】
また、図１３に示す印刷用テープ２４を得るには、使用者は、キーボード３の文字キーを押下して文字列「ＡＢ」からなるテキストを入力する（Ｓ１３）。次に、コピー印刷キー及び数字「３」キーを押下してコピー印刷を設定すると共に印刷枚数３を設定する。するとコピー印刷処理（Ｓ４）のＳ１７において印刷枚数Ｎが「３」に設定され、Ｓ１８においてナンバリングフラグＦ及びスプリットフラグＦが共にクリアされる。さらに、カウント印刷設定処理において、「Ｙ」キーを押下してカウント印刷を設定する。
【００６６】
そして、使用者は印刷キーを押下する。すると印刷処理（Ｓ１４）が実行され、印刷枚数Ｎは「３」にセットされているから（Ｓ５４：ｎｏ）、Ｓ５９において印刷枚数カウンタｎが「３」に設定され、カウンタＣが「１」に設定される。そしてＳ６１のイメージ処理において、Ｓ４６：ｙｅｓ、Ｓ４７・Ｓ５０：ｎｏ、Ｓ５３と実行され、文字列「ＡＢ」の印刷用イメージデータが作成され、Ｓ６２〜Ｓ６５の処理により、文字列「ＡＢ」の印刷とその前のハーフカットライン５４が作成が行われる。そして、印刷枚数カウンタｎから「１」を引いた結果が「０」でないから、カウンタＣが「１」だけインクリメントされ、Ｓ６９において、カウンタＣの値が印刷された後、全カット機構Ａが駆動されて全カットが行われ、１枚目の印刷用テープ２４が作成される。
【００６７】
次に、印刷用カウンタｎが「０」となるまでＳ６１〜Ｓ７０が繰り返され、余白部分に数字「２」、「３」が印刷された２枚目、３枚目の印刷用テープ２４が作成される。印刷用カウンタｎが「０」になると、使用者が設定したコピー枚数の印刷が終了したことになり、Ｓ６７において、テープ送りモータ４６による印刷用テープ２４の搬送及び全カット機構Ａによる全カットが行われ、３枚目の印刷用テープ２４に対する全カットが行われる。
【００６８】
上記一連の処理により、同一内容を印刷した印刷用テープ２４が指定した枚数だけ作成することができ、２枚目以降の余白部分には、何枚目の印刷かを示す数字が印刷される。これら全て印刷用テープ２４にもハーフカットライン５４が形成されているので、印刷部分を容易に剥がすことができる。また、余白部分に枚数を示す数字が印刷されているので、使用者は、印刷中においては、何枚目の印刷用テープ２４の作成が完了しているのか容易に把握することができ、また、貼付作業においては何枚目の印刷用テープ２４の貼付作業が終了したのかを容易に把握することができる。
【００６９】
尚、使用者によりカウンタ印刷の要否は任意に設定することができるので、カウンタ印刷の無い印刷用テープを作成することも可能である。
【００７０】
【発明の効果】
本発明の請求項１に係るテーププリンタでは、（イ）印字テープが剥がし易くラベルとして使用し易い便利なものを、手間を掛けずに余計な余白部分を少なくした状態で実現することができ、印字後の印刷用テープを取扱い性に優れたものにできる。
【００７１】
請求項２に係るテーププリンタでは、（ロ）上記効果（イ）を、スプリット制御による印字後の印刷用テープにも適用できるようになり、幅広ラベルにも好適に使用できるようになる。
【００７２】
請求項１及び３に係るテーププリンタでは、上記効果（イ）又は（ロ）を備えながら、複数印刷時における随時の作成個数や総個数等が一目瞭然となる便利なものを、余白部分を利用して印字させることでラベルには影響の無い好ましい状態で実現できる利点がある。
【図面の簡単な説明】
【図１】  テーププリンタ及びデータ作成装置を示す図である。
【図２】  カセット収納部の平面図である。
【図３】  印刷用テープの拡大断面図である。
【図４】  印刷用テープの部分断面図を示す斜視図である。
【図５】  部分カット機構の正面図である。
【図６】  切断刃を開いた状態の部分カット機構を示す正面図である。
【図７】  切断刃の支持部材への固定状態を示す正面図である。
【図８】  （ａ）は図６の部分カット機構の要部断面図であり、（ｂ）は図７の部分カット機構の要部断面図である。
【図９】  テーププリンタの制御ブロック図である。
【図１０】  印刷用テープにおける余白部分、印字部分、非印字部分を示す図である。
【図１１】  印字部と切断部との位置関係を示す側面図である。
【図１２】  タイプＩの印刷用テープのイメージ図である。
【図１３】  タイプIIの印刷用テープのイメージ図である。
【図１４】  実施形態におけるメインルーチンのフローチャートを示す図である。
【図１５】  （イ）はコピー設定用の各サブルーチンのフローチャートを示す図であり、（ロ）はナンバリング設定用の各サブルーチンのフローチャートを示す図である。
【図１６】  （イ）はスプリット設定用の各サブルーチンのフローチャートを示す図であり、（ロ）はハーフカット設定用のサブルーチンのフローチャートを示す図である。
【図１７】  カウンタ印刷設定用のサブルーチンのフローチャートを示す図である。
【図１８】  印刷処理のルーチンのフローチャートを示す図である。
【図１９】  イメージ処理用ルーチンのフローチャートを示す図である。
【符号の説明】
１４  剥離テープ
１８  印字部
２３  切断部
２４  印刷用テープ
２８  印字テープ
４７  反復印字制御手段
４８  第１制御手段
５０  ナンバリング印字制御手段
５１  第２制御手段
５２  第３制御手段
【図１】
0003887939.tif 000002
【図２】
0003887939.tif 000003
【図３】
0003887939.tif 000004
【図４】
0003887939.tif 000005
【図５】
0003887939.tif 000006
【図６】
0003887939.tif 000007
【図７】
0003887939.tif 000008
【図８】
0003887939.tif 000009
【図９】
0003887939.tif 000010
【図１０】
0003887939.tif 000011
【図１１】
0003887939.tif 000012
【図１２】
0003887939.tif 000013
【図１３】
0003887939.tif 000014
【図１４】
0003887939.tif 000015
【図１５】
0003887939.tif 000016
【図１６】
0003887939.tif 000017
【図１７】
0003887939.tif 000018
【図１８】
0003887939.tif 000019
【図１９】
0003887939.tif 000020